(57)【要約】【課題】煩雑な作業を要することなく、より確実に通気効率を向上させること。【解決手段】枠体１０を構成する上枠１１には通気通路１が設けられ、通気通路１には浴室の圧力が脱衣室の圧力よりも低下した場合に回動し、通気通路１の開口面積を拡大する弁体７０が設けられた建具において、通気通路１が設けられた枠体１０には、支持部材６０が移動可能に配設され、かつ弁体７０は、支持部材６０に対して通気通路１の開口面積を拡大させた開位置と、通気通路１の開口面積を減少させた閉位置との間を回動可能となる状態で支持されており、支持部材６０が設けられた枠体１０の縦枠１３，１４と、支持部材６０との間には、支持部材６０の拡張位置への移動に伴って通気通路１の開口面積が増大した場合に支持部材６０の位置を維持する係合突起６３ｂ及び係止凹部１６，１７が設けられている。【選択図】図６
2019078145.tif 000002
【特許請求の範囲】
【請求項１】
枠体に障子が開閉可能に配設され、前記枠体を構成する枠材もしくは前記障子を構成する枠材には前記障子によって仕切られる一方の空間と他方の空間との間を連通するように通気通路が設けられ、前記通気通路には前記一方の空間の圧力が前記他方の空間の圧力よりも低下した場合に回動し、前記通気通路の開口面積を拡大する弁体が設けられた建具において、
前記通気通路が設けられた前記枠体もしくは前記障子には、支持部材が移動可能に配設され、かつ前記弁体は、前記支持部材に対して前記通気通路の開口面積を拡大させた開位置と、前記通気通路の開口面積を減少させた閉位置との間を回動可能となる状態で支持されており、
前記支持部材が設けられた前記枠体もしくは前記障子と、前記支持部材との間には、少なくとも前記支持部材の移動に伴って前記通気通路の開口面積が増大した場合に当該支持部材の位置を維持する位置決め部が設けられていることを特徴とする建具。
【請求項２】
前記支持部材は、前記通気通路において前記一方の空間側の端部に配設されていることを特徴とする請求項１に記載の建具。
【請求項３】
前記弁体は、薄板状を成し、一方の縁部に設けた回動軸を中心として回動することにより前記通気通路の開口面積を変化させるものであり、
前記支持部材は、前記回動軸と同一の軸心上に支持軸部を有し、前記支持軸部を中心として回動可能となる状態で前記枠体もしくは前記障子に配設されていることを特徴とする請求項２に記載の建具。
【請求項４】
前記枠体の上枠は、上方ガイド壁部及び下方ガイド壁部を有し、前記上方ガイド壁部及び前記下方ガイド壁部の間に前記通気通路が構成されるものであり、
前記弁体は、前記上方ガイド壁部において前記一方の空間側に位置する端縁部から延在するように前記上方ガイド壁部の端縁部延長上に前記回動軸が設けられていることを特徴とする請求項３に記載の建具。
【請求項５】
前記上方ガイド壁部は、前記一方の空間側に位置する部分が前記一方の空間に向かうに従って漸次下方となるように湾曲しており、
前記弁体は、前記支持部材が前記通気通路の開口面積を増大する位置に配置された状態で前記開位置に配置された場合に前記上方ガイド壁部に沿って湾曲状に延在することを特徴とする請求項４に記載の建具。
【請求項６】
前記枠体もしくは前記障子に対して前記支持部材が着脱可能に配設されていることを特徴とする請求項１に記載の建具。
【請求項７】
前記通気通路を構成する壁部には、放熱フィンが設けられていることを特徴とする請求項１に記載の建具。
【請求項８】
前記放熱フィンは、前記通気通路を構成する壁部の外表面に設けられていることを特徴とする請求項７に記載の建具。
【発明の詳細な説明】
【技術分野】
【０００１】
本発明は、建具に関するもので、より詳細には枠体を構成する枠材もしくは障子を構成する枠材に通気通路を有した建具に関するものである。
【背景技術】
【０００２】
浴室と脱衣室との間を仕切るように設けられる建具には、枠体を構成する枠材、例えば上枠に浴室の換気を行うための通気通路を備えたものがある。この建具では、通気通路に弁体が設けられており、不必要時に浴室の湯気が脱衣室側に漏出する事態が防止されている。すなわち、浴室の換気扇が駆動されていない場合には、弁体が通気通路を減少させた閉位置に配置され、浴室から脱衣室への湯気の漏出が防止されている。一方、浴室の換気扇が駆動されると、浴室の圧力が脱衣室の圧力よりも低下することによって通気通路が拡大するように弁体が回動する（開位置）。従って、この状態においては、通気通路を通じて脱衣室の空気が浴室の内部に供給され、浴室が効率良く換気されるようになる。
【０００３】
この種の建具としては、通気通路に開閉部材が移動可能に配設され、かつ開閉部材に弁体を回動可能に配設するようにしたものも提供されている。この建具では、換気扇の駆動によって浴室の圧力が脱衣室の圧力よりも設定した値以下となると開閉部材が移動し、弁体がより大きく開くことによって通気通路の開口面積が増大された状態となる。これにより、通気通路の通気効率が一層向上するようになる（例えば、特許文献１参照）。
【先行技術文献】
【特許文献】
【０００４】
【特許文献１】特開２０１６−５０４４５号公報
【発明の概要】
【発明が解決しようとする課題】
【０００５】
ところで、特許文献１の建具では、換気扇が停止し、浴室の圧力が上昇した場合に自重や復帰バネの弾性力によって開閉部材を元の位置に復帰させるようにしている。このため、通気効率を向上させるように開閉部材を移動させるには、開閉部材の自重もしくは復帰バネの弾性力に抗するに十分となるだけの比較的大きな力が必要となる。上述の建具にあっては、開閉部材を移動させる力が換気扇の駆動によって生じる浴室と脱衣室との間の圧力差によるもののみであるため、開閉部材の移動を保証するための調整作業が極めて煩雑となるおそれがある。なお、上述の問題は、枠体の上枠に通気通路を設けたものに限らず、通気通路に弁体を備えたものであれば、上枠以外の枠材や障子を構成する枠材であっても同様に生じ得る。
【０００６】
本発明は、上記実情に鑑みて、煩雑な作業を要することなく、より確実に通気効率を向上させることのできる建具を提供することを目的とする。
【課題を解決するための手段】
【０００７】
上記目的を達成するため、本発明に係る建具は、枠体に障子が開閉可能に配設され、前記枠体を構成する枠材もしくは前記障子を構成する枠材には前記障子によって仕切られる一方の空間と他方の空間との間を連通するように通気通路が設けられ、前記通気通路には前記一方の空間の圧力が前記他方の空間の圧力よりも低下した場合に回動し、前記通気通路の開口面積を拡大する弁体が設けられた建具において、前記通気通路が設けられた前記枠体もしくは前記障子には、支持部材が移動可能に配設され、かつ前記弁体は、前記支持部材に対して前記通気通路の開口面積を拡大させた開位置と、前記通気通路の開口面積を減少させた閉位置との間を回動可能となる状態で支持されており、前記支持部材が設けられた前記枠体もしくは前記障子と、前記支持部材との間には、少なくとも前記支持部材の移動に伴って前記通気通路の開口面積が増大した場合に当該支持部材の位置を維持する位置決め部が設けられていることを特徴とする。
【０００８】
この発明によれば、２つの空間の圧力差に関わりなく、位置決め部によって支持部材を通気通路の開口面積が増大した位置に維持させることができるため、煩雑な調整作業を要することなく確実に通気効率を向上させることが可能となる。
【０００９】
また本発明は、上述した建具において、前記支持部材は、前記通気通路において前記一方の空間側の端部に配設されていることを特徴とする。
【００１０】
この発明によれば、通気中において弁体よりも下流側となる位置に共鳴空間が構成されることがなく、弁体の作動音が増幅して異音となるおそれがなくなる。
【００１１】
また本発明は、上述した建具において、前記弁体は、薄板状を成し、一方の縁部に設けた回動軸を中心として回動することにより前記通気通路の開口面積を変化させるものであり、前記支持部材は、前記回動軸と同一の軸心上に支持軸部を有し、前記支持軸部を中心として回動可能となる状態で前記枠体もしくは前記障子に配設されていることを特徴とする。
【００１２】
この発明によれば、支持部材を移動させた場合にも通気通路に対する回動軸の位置が変化することがない。従って、支持部材を移動させた際に通気通路と弁体との間に隙間が生じる等の問題を招来するおそれがない。
【００１３】
また本発明は、上述した建具において、前記枠体の上枠は、上方ガイド壁部及び下方ガイド壁部を有し、前記上方ガイド壁部及び前記下方ガイド壁部の間に前記通気通路が構成されるものであり、前記弁体は、前記上方ガイド壁部において前記一方の空間側に位置する端縁部から延在するように前記上方ガイド壁部の端縁部延長上に前記回動軸が設けられていることを特徴とする。
【００１４】
この発明によれば、上方ガイド壁部の延長上に回動軸が延在するため、弁体が回動した場合にも通気通路と弁体との間に段差が生じる事態を防止することができる。
【００１５】
また本発明は、上述した建具において、前記上方ガイド壁部は、前記一方の空間側に位置する部分が前記一方の空間に向かうに従って漸次下方となるように湾曲しており、前記弁体は、前記支持部材が前記通気通路の開口面積を増大する位置に配置された状態で前記開位置に配置された場合に前記上方ガイド壁部に沿って湾曲状に延在することを特徴とする。
【００１６】
この発明によれば、弁体が上方ガイド壁部に沿って湾曲状に延在するため、通気通路の開口面積を増大した場合の通気効率をより向上させることができる。
【００１７】
また本発明は、上述した建具において、前記枠体もしくは前記障子に対して前記支持部材が着脱可能に配設されていることを特徴とする。
【００１８】
この発明によれば、支持部材を取り外すことができるため、通気通路及び弁体の清掃等、メンテナンス作業を容易に実施することができる。
【００１９】
また本発明は、上述した建具において、前記通気通路を構成する壁部には、放熱フィンが設けられていることを特徴とする。
【００２０】
この発明によれば、他方の空間から弁体を通過した流体を冷却することができる。従って、例えば浴室と脱衣室との間に適用した場合に、浴室の湯気が閉位置に配置された弁体を通過して脱衣室側に漏出したとしても脱衣室に至るまでの間に通気通路内で結露させることができ、浴室の湯気がそのまま脱衣室に漏出する事態を防止することができる。
【００２１】
また本発明は、上述した建具において、前記放熱フィンは、前記通気通路を構成する壁部の外表面に設けられていることを特徴とする。
【００２２】
この発明によれば、通気通路の流路抵抗を増大させることなく、通過する流体を冷却することが可能となる。
【発明の効果】
【００２３】
本発明によれば、２つの空間の圧力差に関わりなく、位置決め部によって支持部材を通気通路の開口面積が増大した位置に維持させることができるため、煩雑な調整作業を要することなく確実に通気効率を向上させることが可能となる。
【図面の簡単な説明】
【００２４】
【図１】本発明の実施の形態である建具を浴室側から見た図である。
【図２】図１に示した建具の要部分解縦断面図である。
【図３】図１に示した建具の要部を上方から見た破断斜視図である。
【図４】図１に示した建具の要部を下方から見た破断斜視図である。
【図５】図１に示した建具において支持部材が通常位置に配置された状態を示すもので、（ａ）は弁体が閉位置に配置された状態の要部縦断面図、（ｂ）は弁体が開位置に配置された状態の要部縦断面図である。
【図６】図１に示した建具において支持部材が拡張位置に配置された状態を示すもので、（ａ）は弁体が閉位置に配置された状態の要部縦断面図、（ｂ）は弁体が開位置に配置された状態の要部縦断面図である。
【図７】本発明の変形例である建具を示すもので、（ａ）は支持部材が通常位置に配置された状態の要部縦断面図、（ｂ）は弁体ユニットが拡張位置に配置された状態の要部縦断面図である。
【発明を実施するための形態】
【００２５】
以下、添付図面を参照しながら本発明に係る建具の好適な実施の形態について詳細に説明する。
【００２６】
図１は、本発明の実施の形態である建具を示したものである。ここで例示する建具は、浴室（一方の空間）と脱衣室（他方の空間）との間に設けられる浴室用の折れ戸であり、枠体１０及び２枚の障子２０，３０を備えて構成してある。枠体１０は、上枠（枠材）１１、下枠（枠材）１２及び左右の縦枠（枠材）１３，１４を四周枠組みすることによって構成したものである。一方の障子２０は、矩形状を成す面材２１の四周に上框２２、下框２３及び左右の縦框２４，２５を配設することによって構成したものである。もう一方の障子３０についても、矩形状を成す面材３１の四周に上框３２、下框３３及び左右の縦框３４，３５を配設することによって構成してある。これらの障子２０，３０は、一方の縦框２５，３５を介して相互に連結してあり、上下に沿った軸心を中心として折り畳むことが可能である。図には明示していないが、２つの障子２０，３０において互いに外側に配置される他方の縦框２４，３４には、上端及び下端からそれぞれ上下方向に沿って同一軸心となるガイド軸が突出している。一方の障子２０のガイド軸は、上枠１１及び下枠１２において一方の縦枠１３に近接した部分に左右方向に沿った移動が阻止された状態で回動可能に支持してある。他方の障子３０のガイド軸は、上枠１１及び下枠１２に対して左右方向に沿って移動可能、かつ回動可能に支持してある。この建具では、他方の障子３０のガイド軸を他方の縦枠１４に近接した部分に配置させた場合、図１に示すように、２枚の障子２０，３０がそれぞれ上枠１１及び下枠１２に沿った状態となり、枠体１０によって構成される開口を閉じて浴室と脱衣室との間が仕切られることになる。この状態から互いに連結された一方の縦框２５，３５が浴室側となるように障子２０，３０を操作すると、他方の障子３０のガイド軸が一方の縦枠１３に向けて移動するとともに、それぞれの障子２０，３０がガイド軸を中心として適宜回動する。この結果、２枚の障子２０，３０が折り畳まれた状態となり、枠体１０の開口を開いて浴室と脱衣室との間を連通させることが可能となる。
【００２７】
図２〜図４に示すように、この建具では、枠体１０の上枠１１が、上方上枠部１１Ａと下方上枠部１１Ｂとを備え、これら上方上枠部１１Ａ及び下方上枠部１１Ｂの間に隙間を確保した状態で左右の縦枠１３，１４の上端部間に取り付けられている。上方上枠部１１Ａ及び下方上枠部１１Ｂは、アルミニウム合金等の金属もしくは樹脂によって成形した押し出し形材であり、長手方向（押し出し方向）の全長にわたってほぼ一様な断面形状を有するように構成してある。上方上枠部１１Ａは、上枠１１の上方部を構成するもので、見込み方向に沿った寸法が左右の縦枠１３，１４とほぼ同じとなるように構成してある。これに対して下方上枠部１１Ｂは、上枠１１の下方部を構成するもので、見込み方向に沿った寸法が左右の縦枠１３，１４よりも小さく構成してある。
【００２８】
ここで、見込み方向とは、図中の矢印Ａで示すように、建具の奥行きに沿った方向である。見込み方向に沿った平面については、見込み面と称する場合がある。また、本実施の形態では、見付け方向という用語を用いる。見付け方向とは、上枠１１や下枠１２のように左右に沿った部材の場合、見込み方向に直交した上下に沿う方向であり、縦枠１３，１４のように上下に沿った部材の場合、見込み方向に直交した左右に沿う方向である。見付け方向に沿った平面については、見付け面と称する場合がある。
【００２９】
以下、上方上枠部１１Ａ及び下方上枠部１１Ｂを含む枠体１０の上部構成について詳述し、併せて本願発明の特徴部分について説明を行う。なお、以下においては便宜上、浴室と脱衣室の間に設けられている状態でそれぞれの方向を特定することとする。
【００３０】
上方上枠部１１Ａは、上方ガイド壁部４１、収容壁部４２及び上方見付け壁部４３を一体に成形したものである。上方ガイド壁部４１は、上方上枠部１１Ａにおいて脱衣室側に配置される部分であり、見込み方向に沿った寸法が縦枠１３，１４に対してほぼ２／３となるように構成してある。上方ガイド壁部４１において脱衣室側に位置する半部は、見込み方向に沿ってほぼ水平に延在している。これに対して上方ガイド壁部４１において浴室側に位置する半部は、浴室に向けて漸次下方となるようにわずかに湾曲している。上方ガイド壁部４１の下面は、段差が無く滑らかに構成してある。一方、上方ガイド壁部４１の上面には、複数の放熱フィン４４が設けてある。放熱フィン４４は、上方ガイド壁部４１の上面から上方に向けて延在した薄板状部分である。個々の放熱フィン４４は、上方ガイド壁部４１の長手に沿った全長に設けてあり、互いの間に隙間を確保した状態で見込み方向に並設してある。収容壁部４２は、最も浴室側に位置する放熱フィン４４の上端から浴室に向けてほぼ水平に延在した後、下方に向けて屈曲したもので、上方ガイド壁部４１の放熱フィン４４との間に下方に開口した収容空間４５を構成している。上方見付け壁部４３は、収容壁部４２の浴室側に位置する縁部から上方に向けて延在した後、脱衣室側に向けてほぼ水平に延在したものである。
【００３１】
下方上枠部１１Ｂは、下方ガイド壁部５１、当接ヒレ部５２及び軸支持部５３を一体に成形したものである。下方ガイド壁部５１は、上方ガイド壁部４１との間に通気通路１を構成する部分であり、脱衣室から浴室に向けて漸次下方となるように湾曲している。図からも明らかなように、下方ガイド壁部５１は、脱衣室側に比べて浴室側の曲率が大きくなるように湾曲しており、上方ガイド壁部４１との鉛直方向に沿った距離が浴室側に向けて漸次増大している。下方ガイド壁部５１の上面は、段差が無く滑らかに構成してある。この下方ガイド壁部５１は、見込み方向において上方上枠部１１Ａのほぼ中央に位置し、浴室側の縁部が上方ガイド壁部４１における浴室側の縁部とほぼ同じ見込み位置となるように取り付けてある。当接ヒレ部５２は、下方ガイド壁部５１の脱衣室側に位置する縁部から下方に延在した部分であり、障子２０，３０を閉じた場合に上框２２，３２の脱衣室に臨む見付け面に対向することができる寸法に構成してある。当接ヒレ部５２において浴室に臨む見付け面には、その下縁部にタイト材５４が装着してある。タイト材５４は、障子２０，３０が閉じた場合に上框２２，３２に密接し、上框２２，３２との間の水密性を確保するためのものである。軸支持部５３は、下方ガイド壁部５１において浴室側に位置する部分の下面から下方に延在した後、脱衣室側に向けて延在し、その延在縁部が当接ヒレ部５２に接合されたものである。すなわち、軸支持部５３は、下方ガイド壁部５１及び当接ヒレ部５２との間に中空部を構成するように設けられたものである。軸支持部５３において浴室側に位置する部位には、取付溝５５が設けてある。取付溝５５は、下面に開口し、かつ下方上枠部１１Ｂの長手方向に沿って形成した凹部である。軸支持部５３の下面には、上述した障子２０，３０のガイド軸を支持するためのブラケット５６が、取付溝５５を介して取り付けてある。
【００３２】
さらに、この建具の枠体１０には、弁体ユニット２が設けてある。弁体ユニット２は、上方上枠部１１Ａの上方ガイド壁部４１と下方上枠部１１Ｂの下方ガイド壁部５１との間に構成される通気通路１の開口面積を浴室側の端部において変化させるためのもので、支持部材６０と弁体７０とを備えて構成してある。
【００３３】
支持部材６０は、上壁部６１、前壁部６２及び左右の側壁部６３を備えた直方体状を成すもので、通気通路１の浴室側開口を覆う位置において左右の縦枠１３，１４の間の全長にわたって配設してある。支持部材６０の上壁部６１は、上方上枠部１１Ａの収容壁部４２によって構成される収容空間４５に収容することのできる寸法に構成したもので、脱衣室側に位置する縁部の下面に軸受け部６１ａを有している。軸受け部６１ａは、後述する弁体７０の回動軸７１を回動可能に支持する円筒状部分であり、軸心が左右方向に沿ってほぼ水平となるように設けてある。この軸受け部６１ａには、弁体７０の回動範囲を規定するための軸受開口６１ｂが設けてある。本実施の形態では、上壁部６１がほぼ水平に配置された場合に下方となる部位から浴室側のほぼ９０°となる範囲に軸受開口６１ｂが形成してある。前壁部６２は、上壁部６１が収容空間４５に配置された状態で通気通路１の浴室側開口を覆うことのできる寸法に構成してある。左右の側壁部６３は、それぞれ上壁部６１及び前壁部６２を２辺とする矩形状を成すもので、縦枠１３，１４に対向する外表面にそれぞれ支持軸部６３ａ及び係合突起（位置決め部）６３ｂを有している。支持軸部６３ａは、側壁部６３において縦枠１３，１４に対向する外表面から縦枠１３，１４に向けて突出した円柱状の突出部である。それぞれの支持軸部６３ａは、側壁部６３において脱衣室側の上隅部となる部位において上壁部６１の軸受け部６１ａと同一軸心上となる位置に設けてある。係合突起６３ｂは、側壁部６３の外表面から縦枠１３，１４に向けて突出した半球状の突出部であり、支持軸部６３ａよりも下方となる部位に設けてある。
【００３４】
弁体７０は、円柱状を成す回動軸７１と、回動軸７１の周面から径方向に延在した後、浴室側に向けて凸となるように湾曲した薄板状の弁本体７２とを有したものである。この弁体７０は、回動軸７１が上壁部６１の軸受け部６１ａにおいて回動可能となり、軸受開口６１ｂから弁本体７２が延在する状態で側壁部６３の相互間の全長にわたって配設してある。弁体７０の弁本体７２は、回動軸７１の回動により、支持部材６０の上壁部６１、前壁部６２及び左右の側壁部６３によって囲まれる空間において前壁部６２から離隔した位置と前壁部６２に近接した位置との間を移動することが可能である。
【００３５】
上記のように構成した弁体ユニット２は、支持軸部６３ａを縦枠１３，１４の互いに対向する見込み面に設けた軸孔１５に装着することにより、支持軸部６３ａの軸心を中心として回動可能となる状態で左右の縦枠１３，１４の間に配設してある。軸孔１５は、上方ガイド壁部４１において浴室側に位置する端縁部の延長上となる部位の近傍に設けてある。図からも明らかなように、左右の縦枠１３，１４において係合突起６３ｂに対応する部位の２カ所には、係止凹部（位置決め部）１６，１７が設けてある。係止凹部１６，１７は、軸孔１５を中心とした同一の円弧上に設けた半球状の凹部であり、弁体ユニット２の支持部材６０を回動させた場合に係合突起６３ｂが択一的に係合される２位置に設けてある。具体的に説明すると、左右の縦枠１３，１４の見込み面には、図５の（ａ）に示すように、支持部材６０の前壁部６２が鉛直方向に沿って配置された場合に係合突起６３ｂが係合される位置（以下、通常位置という）と、図６の（ａ）に示すように、支持軸部６３ａを中心として支持部材６０を浴室側に回動させ、前壁部６２が浴室に向けて漸次下方となるように傾斜して配置された場合に係合突起６３ｂが係合される位置（以下、拡張位置という）との２カ所に係止凹部１６，１７が設けてある。係合突起６３ｂが係止凹部１６，１７に係合された状態の支持部材６０は、手を離した状態においてもそれぞれの姿勢を維持する一方、前壁部６２を介して操作力を加えれば、係合突起６３ｂと係止凹部１６，１７との係合状態を容易に解除することが可能である。さらに、大きな操作力を加えれば、縦枠１３，１４の軸孔１５から支持軸部６３ａを離脱させ、弁体ユニット２を枠体１０から取り外すことも可能である。
【００３６】
上記のように構成した建具では、障子２０，３０によって枠体１０の開口を閉じた状態においても通気通路１を通じて浴室と脱衣室とが連通された状態にある。ここで、図５の（ａ）に示すように、支持部材６０を通常位置に配置した場合には、弁体７０が自重によって垂下され（閉位置）、通気通路１がほぼ閉じた状態となる。従って、不必要時に浴室内の湯気が脱衣室に漏出するおそれがない。この状態から、浴室の図示せぬ換気扇を駆動すると、浴室の圧力が脱衣室よりも低下することにより、図５の（ｂ）に示すように、支持部材６０に対して弁体７０が浴室側に向けて回動し、通気通路１の開口面積が拡大した状態となる（開位置）。これにより、通気通路１を通じて脱衣室の空気が浴室の内部に供給され、浴室が効率良く換気されるようになる。浴室の換気が終了し、換気扇を停止させると、弁体７０が自重によって脱衣室側に回動し、再び図５の（ａ）に示した閉位置に復帰することになり、脱衣室への湯気の漏出が防止された状態となる。
【００３７】
一方、図６の（ａ）に示すように、支持部材６０を拡張位置に配置した場合には、弁体７０の回動範囲が浴室側へ移動する。このため、通気通路１の最小開口面積が増大した状態、つまり支持部材６０に対して弁体７０が上述の閉位置に配置された場合の通気通路１の開口面積が、支持部材６０を通常位置に配置した場合に比べて増大することになる。従って、この状態から浴室の換気扇を駆動すると、図６の（ｂ）に示すように、通常位置の場合に比べて通気通路１の開口面積が増大し、脱衣室から浴室への通気効率が向上することによって浴室をより短時間に換気することができるようになる。しかも、通常位置から拡張位置に変更する場合には、支持部材６０を操作して係合突起６３ｂが係合する位置を係止凹部１６から係止凹部１７に変更すれば良い。このため、支持部材６０を移動させるための調整作業は不要であり、必要時においては容易に、かつ確実に通気効率を向上させることが可能である。
【００３８】
さらに、上述の建具によれば、通気通路１の下流側となる部分に弁体ユニット２を設けるようにしているため、弁体ユニット２よりも下流となる部分に共鳴空間が構成されることがなく、弁体７０の回動に伴って異音が生じる等の問題を招来するおそれもない。特に、上記の建具では、上方ガイド壁部４１の延長上に回動軸７１を設けるようにしているため、弁体７０が回動した場合にも通気通路１と弁体７０との間に段差が生じる事態を防止することができる。加えて、弁体７０の弁本体７２が上方ガイド壁部４１に沿って湾曲状に延在するため、通気通路１の最小開口面積を増大した場合の通気効率をより向上させることも可能となる。
【００３９】
またさらに、上方ガイド壁部４１に放熱フィン４４を設けるようにしているため、浴室から弁体７０を通過して通気通路１に流入した流体を冷却することができる。従って、浴室の湯気が閉位置に配置された弁体７０を通過して脱衣室側に漏出したとしても脱衣室に至るまでの間に通気通路１内で結露させることができ、浴室の湯気がそのまま脱衣室に漏出する事態を防止することができる。しかも、放熱フィン４４を上方ガイド壁部４１の上面に設けるようにしているため、通気通路１の流路抵抗が増大することもない。
【００４０】
また、弁体７０の回動軸７１と、支持部材６０の支持軸部６３ａとが同一の軸心上にあるため、支持部材６０が通常位置と拡張位置との間で移動した場合にも弁体７０の回動軸７１が変化することがない。従って、支持部材６０をいずれの位置に配置した場合にも、通気通路１と弁体７０との間に隙間が生じる等の問題を招来するおそれがない。
【００４１】
さらに、枠体１０に対して支持部材６０を着脱可能に取り付けているため、支持部材６０を取り外すことにより、通気通路１や弁体７０の清掃等、メンテナンス作業を容易に実施することが可能となる。
【００４２】
なお、上述した実施の形態では、縦枠１３，１４に軸孔１５を設け、弁体ユニット２における支持部材６０の支持軸部６３ａを軸孔１５に回動可能に装着することによって枠体１０に対して弁体ユニット２の支持部材６０を回動させるようにしているが、支持部材６０の移動態様は必ずしも回動に限定されない。例えば、図７の変形例に示すように、縦枠１３，１４にスライド孔１１５を形成し、支持部材６０の支持軸部６３ａをスライド孔１１５にスライド可能に装着するようにしても良い。スライド孔１１５としては、見込み方向に沿っていれば、必ずしも水平である必要はなく、図示の例のように、浴室に向けて漸次上方となるように傾斜させるようにしても良い。また、この変形例の建具では、支持軸部６３ａを最も脱衣室側に配置した場合に係合突起６３ｂに係合する係止凹部（位置決め部）１１６と、最も浴室側に配置した場合に係合突起６３ｂに係合する係止凹部（位置決め部）１１７とを設けるようにしている。なお、変形例において実施の形態と同様の構成については同一の符号が付してある。
【００４３】
上記のように構成した建具においても実施の形態と同様、図７の（ａ）に示す通常位置おいて浴室の換気扇を駆動すれば、弁体７０が同図中の実線で示す位置から２点鎖線で示す位置に移動し、浴室の換気を行うことが可能となる。
【００４４】
一方、図７の（ｂ）に示すように、支持部材６０を浴室側にスライドさせて拡張位置に配置した場合には、弁体７０の回動範囲が浴室側へ移動するため、通気通路１の最小開口面積が増大した状態、つまり浴室の換気扇を駆動していない状態での弁体７０の位置（実線）が通常位置に比べて浴室側に移動した状態となる。従って、この状態から浴室の換気扇を駆動すると、図７の（ｂ）に２点鎖線で示すように、通常位置の場合に比べて通気通路１の開口面積が増大し、脱衣室から浴室への通気効率が向上することによって浴室をより短時間に換気することができるようになる。しかも、通常位置から拡張位置に変更する場合には、支持部材６０を操作して係合突起６３ｂが係合する位置を係止凹部１１６から係止凹部１１７に変更すれば良い。このため、支持部材６０を移動させるための調整作業は不要であり、必要時においては容易に、かつ確実に通気効率を向上させることが可能である。
【００４５】
なお、上述した実施の形態及び変形例では、浴室用の折れ戸を例示しているが、その他の建具にも適用することが可能である。また、枠体１０の上枠１１に通気通路１を設けるようにしているが、枠体１０を構成する下枠１２や縦枠１３，１４、あるいは障子２０，３０を構成する框（枠材）２２，２３，２４，２５，３２，３３，３４，３５に通気通路を設けたものに適用しても良い。さらに、通気通路１の下流側端部となる浴室（一方の空間）側の端部に弁体ユニット２を設けるようにしているが、通気通路１の中間部や上流側端部となる脱衣室（他方の空間）側の端部に弁体ユニット２を設けるようにしても構わない。
【００４６】
また、上述した実施の形態及び変形例では、支持部材６０が通常位置に配置された場合にも係合突起６３ｂを係止凹部１６，１１６に係合させるようにしているが、必ずしも通常位置において係合突起６３ｂを係止凹部１６，１１６に係合させる必要はなく、拡張位置において係合突起６３ｂが係止凹部１７，１１７に係合されていれば十分である。さらに、位置決め部としては、支持部材６０に係合突起６３ｂを設ける一方、縦枠１３，１４に係止凹部１６，１７，１１６，１１７を設けるようにしているが、凹凸の関係は逆であっても良い。
【符号の説明】
【００４７】
１  通気通路、２  弁体ユニット、１０  枠体、１１  上枠、１２  下枠、１３，１４  縦枠、１５  軸孔、１６，１７，１１６，１１７  係止凹部、２０，３０  障子、２２，２３，２４，２５，３２，３３，３４，３５  框、４１  上方ガイド壁部、４４  放熱フィン、５１  下方ガイド壁部、６０  支持部材、６３ａ  支持軸部、６３ｂ  係合突起、７０  弁体、７１  回動軸、１１５  スライド孔
【図１】
2019078145.tif 000003
【図２】
2019078145.tif 000004
【図３】
2019078145.tif 000005
【図４】
2019078145.tif 000006
【図５】
2019078145.tif 000007
【図６】
2019078145.tif 000008
【図７】
2019078145.tif 000009